(57)【要約】【課題】ＣｏＭＰのようなセル間連携技術を考慮した場合においても、他セル干渉対策を実現できる無線基地局装置、移動端末装置及び無線通信システムを提供すること。【解決手段】本発明の無線基地局装置は、ＣｏＭＰが適用される無線通信システムにおける無線基地局装置であって、複数のセルについてＣＳＩ−ＲＳ及びミューティングが設定され、ページング又は報知情報が多重されているサブフレームにはＣＳＩ−ＲＳの多重されないことを特徴とする。【選択図】図４
2014187705.tif 000002
【特許請求の範囲】
【請求項１】
ＣｏＭＰが適用される無線通信システムにおける無線基地局装置であって、複数のセルについてＣＳＩ−ＲＳ及びミューティングが設定され、ページング又は報知情報が多重されているサブフレームにはＣＳＩ−ＲＳの多重されないことを特徴とする無線基地局装置。
【請求項２】
前記ＣＳＩ−ＲＳ及びミューティングの情報がRRC  Connection  Reconfiguration信号で送信されることを特徴とする請求項１記載の無線基地局装置。
【請求項３】
前記報知情報が多重されているサブフレームはＳＩＢを多重しているサブフレームであることを特徴とする請求項１又は請求項２記載の無線基地局装置。
【請求項４】
前記ミューティングは、隣接セルのＣＳＩ−ＲＳに対して干渉を与えない程度の送信電力であることを特徴とする請求項１から請求項３のいずれかに記載の無線基地局装置。
【請求項５】
ＣｏＭＰが適用される無線通信システムにおける移動端末装置であって、複数のセルについてＣＳＩ−ＲＳ及びミューティングが設定され、ページング又は報知情報が多重されているサブフレームにはＣＳＩ−ＲＳの多重されないことを特徴とする移動端末装置。
【請求項６】
前記複数のセルについてＣＳＩ−ＲＳを用いてチャネル測定することを特徴とする請求項５記載の移動端末装置。
【請求項７】
ＣｏＭＰが適用される無線通信システムであって、無線基地局装置において、複数のセルについてＣＳＩ−ＲＳ及びミューティングが設定され、ページング又は報知情報が多重されているサブフレームにはＣＳＩ−ＲＳの多重されないことを特徴とする無線通信システム。
【請求項８】
前記ＣＳＩ−ＲＳ及びミューティングの情報がRRC  Connection  Reconfiguration信号で送信されることを特徴とする請求項７記載の無線通信システム。
【請求項９】
前記報知情報が多重されているサブフレームはＳＩＢを多重しているサブフレームであることを特徴とする請求項７又は請求項８記載の無線通信システム。
【請求項１０】
前記ミューティングは、隣接セルのＣＳＩ−ＲＳに対して干渉を与えない程度の送信電力であることを特徴とする請求項７から請求項９のいずれかに記載の無線通信システム。
【発明の詳細な説明】
【技術分野】
【０００１】
本発明は、次世代移動通信システムにおける無線基地局装置、移動端末装置、及び無線通信システムに関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband‐Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（無線基地局装置や移動端末装置など）が必要となることが考えられる。
【０００４】
ＬＴＥ−Ａのシステムの下りリンクにおいては、チャネル品質測定のために、セル共通のＣＳＩ−ＲＳ（Channel  State  Information−Reference  Signal）が使用されることが決まっている。このＣＳＩ−ＲＳは、ＬＴＥシステムにおいて定められたＣＲＳ（Cell−specific  Reference  Signal）よりも低い密度、長い周期で多重される。また、このＣＳＩ−ＲＳを挿入するサブフレームでは、ＣＳＩ−ＲＳを含むリソースエレメント（ＲＥ）を取り囲むように、物理下り共有チャネル（ＰＤＳＣＨ）のＲＥがマッピングされる。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ＣＳＩ−ＲＳを用いたチャネル品質の測定においては、他セルからのデータ干渉により測定精度が劣化する場合がある。上述したように、ＣＳＩ−ＲＳは、低い密度、長い周期で多重されているので、他セルからのデータ干渉からＣＳＩ−ＲＳを保護する必要がある。ＣＳＩ−ＲＳを保護する方法として、他セルのＣＳＩ−ＲＳに対応する無線リソースにユーザデータを割り当てないミューティングが検討されている。ミューティングを行う場合、移動端末装置に対して、接続セルの無線基地局装置がＣＳＩ−ＲＳの位置やミューティングの位置の情報を通知する。
【０００７】
一方、ＬＴＥ  Rel−10においてはサポートされていないが、ＬＴＥ  Rel−11以降において、システム性能を向上させるためにセル間直交化を実現する技術として協調マルチポイント送受信（ＣｏＭＰ）が検討される。ＣｏＭＰは、セル間連携技術であるので、上述のようにＣＳＩ−ＲＳを保護する場合（他セル干渉対策）においても、セル間で連携を行う必要がある。
【０００８】
本発明はかかる点に鑑みてなされたものであり、ＣｏＭＰのようなセル間連携技術を考慮した場合においても、他セル干渉対策を実現できる無線基地局装置、移動端末装置及び無線通信システムを提供することを目的とする。
【課題を解決するための手段】
【０００９】
本発明の無線基地局装置は、ＣｏＭＰが適用される無線通信システムにおける無線基地局装置であって、複数のセルについてＣＳＩ−ＲＳ及びミューティングが設定され、ページング又は報知情報が多重されているサブフレームにはＣＳＩ−ＲＳの多重されないことを特徴とする。
【００１０】
本発明の移動端末装置は、ＣｏＭＰが適用される無線通信システムにおける移動端末装置であって、複数のセルについてＣＳＩ−ＲＳ及びミューティングが設定され、ページング又は報知情報が多重されているサブフレームにはＣＳＩ−ＲＳの多重されないことを特徴とする。
【００１１】
本発明の無線通信システムは、ＣｏＭＰが適用される無線通信システムであって、無線基地局装置において、複数のセルについてＣＳＩ−ＲＳ及びミューティングが設定され、ページング又は報知情報が多重されているサブフレームにはＣＳＩ−ＲＳの多重されないことを特徴とする。
【発明の効果】
【００１２】
本発明によれば、ＣｏＭＰが適用される無線通信システムの無線基地局装置において、複数のセルについてＣＳＩ−ＲＳ及びミューティングが設定され、ページング又は報知情報が多重されているサブフレームにはＣＳＩ−ＲＳの多重されないので、ＣｏＭＰのようなセル間連携技術を考慮した場合においても、他セル干渉対策を実現することができる。
【図面の簡単な説明】
【００１３】
【図１】リソースブロックにおけるＣＳＩ−ＲＳの割り当てパターンを説明するための図である。
【図２】ＣＳＩ−ＲＳを用いたＣＱＩ測定におけるミューティングを説明するための図である。
【図３】ミューティング通知方法の一例を示す図である。
【図４】自セル及び他セルのＣＳＩ−ＲＳ送信／ミューティングを説明するための図である。
【図５】通知情報を個別信号で通知する場合のシーケンスを示す図である。
【図６】通知情報を個別信号で通知する場合のシーケンスを示す図である。
【図７】無線通信システムのシステム構成を説明するための図である。
【図８】無線基地局装置の全体構成を説明するための図である。
【図９】移動端末装置の全体構成を説明するための図である。
【図１０】無線基地局装置による無線通信方法に対応した機能ブロック図である。
【図１１】移動端末装置により無線通信方法に対応した機能ブロック図である。
【発明を実施するための形態】
【００１４】
まず、図１を参照して、ＬＴＥシステムの後継システムで適用される参照信号の１つであるＣＳＩ−ＲＳについて説明する。ＣＳＩ−ＲＳは、チャネル状態としてのＣＱＩ（Channel  Quality  Indicator）、ＰＭＩ（Precoding  Matrix  Indicator）、ＲＩ（Rank  Indicator）などのチャネル状態の測定（ＣＳＩ測定）に用いられる参照信号である。ＣＳＩ−ＲＳは、全てのサブフレームに割り当てられるＣＲＳと異なり、所定の周期、例えば１０サブフレーム周期で割り当てられる。また、ＣＳＩ−ＲＳは、位置、系列及び送信電力というパラメータで特定される。ＣＳＩ−ＲＳの位置には、サブフレームオフセット、周期、サブキャリア−シンボルオフセット（インデックス）が含まれる。
【００１５】
ＣＳＩ−ＲＳは、ＬＴＥで規定される１リソースブロックにおいて、ＰＤＣＣＨ（Physical  Downlink  Control  Channel）信号などの制御信号、ＰＤＳＣＨ（Physical  Downlink  Shared  Channel）信号などのユーザデータ、ＣＲＳ（Cell−specific  Reference  Signal）やＤＭ−ＲＳ（Demodulation−Reference  Signal）などの他の参照信号と重ならないように割り当てられる。１リソースブロックは、周波数方向に連続する１２サブキャリアと、時間軸方向に連続する１４シンボルとで構成される。ＰＡＰＲ（Peak−to−Average  Power  Ratio）を抑制する観点から、ＣＳＩ−ＲＳを送信可能なリソースは、時間軸方向に隣接する２つのリソースエレメントがセットで割り当てられる。
【００１６】
図１に示されるＣＳＩ−ＲＳ構成では、ＣＳＩ−ＲＳ用リソース（参照信号用リソース）として４０リソースエレメントが確保されている。この４０リソースエレメントには、ＣＳＩ−ＲＳポート数（アンテナ数）に応じてＣＳＩ−ＲＳパターンが設定される。各ＣＳＩ−ＲＳパターンでは、１つのＣＳＩ−ＲＳポートにつき、１つのリソースエレメントがＣＳＩ−ＲＳ用に割り当てられる。ＣＳＩ−ＲＳポート数が２の場合、４０リソースエレメントの中の２つのリソースエレメントにＣＳＩ−ＲＳが割り当てられる。よって、図１（ａ）では、インデックス＃０−＃１９（ＣＳＩ  Configuration＝０−１９）で示される２０パターンのＣＳＩ−ＲＳパターンが設定される。ここでは、説明の便宜上、１パターンを構成するリソースエレメントに同一のインデックスを付している。
【００１７】
ＣＳＩ−ＲＳポート数が４の場合、４０リソースエレメントの中の４つのリソースエレメントにＣＳＩ−ＲＳが割り当てられる。よって、図１（ｂ）では、インデックス＃０−＃９（ＣＳＩ  Configuration＝０−９）で示される１０パターンのＣＳＩ−ＲＳパターンが設定される。ＣＳＩ−ＲＳポート数が８の場合、４０リソースエレメントの中の８つのリソースエレメントにＣＳＩ−ＲＳが割り当てられる。よって、図１（ｃ）に示すように、インデックス＃０−＃４（ＣＳＩ  Configuration＝０−４）で示される５パターンのＣＳＩ−ＲＳパターンが設定される。なお、ＣＳＩ−ＲＳパターンにおいて、ＣＳＩ−ＲＳが割り当てられなかったリソースエレメントには、ユーザデータが割り当てられる。そして、ＣＳＩ−ＲＳは、セル毎に異なるＣＳＩ−ＲＳパターン（ＣＳＩ  Configuration）が選択されることで、セル間での干渉が抑えられている。
【００１８】
ところで、ＣＳＩ−ＲＳを用いたＣＳＩ測定においては、他セルからのデータ干渉により測定精度が劣化する場合がある。例えば、図２（ａ）に示す場合においては、セルＣ１の下りリンクのリソースブロックに、他セルＣ２のＣＳＩ−ＲＳに対応してユーザデータが割り当てられている。また、セルＣ２の下りリンクのリソースブロックに、他セルＣ１のＣＳＩ−ＲＳに対応してユーザデータが割り当てられている。これらユーザデータは、各セルにおけるＣＳＩ−ＲＳの干渉成分となり、セルＣ１及びセルＣ２の境界に位置する移動端末装置におけるＣＳＩの測定精度を劣化させる要因となる。
【００１９】
ユーザデータの割り当て位置に起因するＣＳＩの測定精度の劣化を改善するため、ミューティングが検討されている。ミューティングにおいては、図２（ｂ）に示すように、他セルのＣＳＩ−ＲＳに対応するリソースにユーザデータが割り当てられない。セルＣ１の下りリンクのリソースブロックは、セルＣ２のＣＳＩ−ＲＳに対応してミューティングされる。また、セルＣ２の下りリンクのリソースブロックは、セルＣ１のＣＳＩ−ＲＳに対応してミューティングされる。この構成により、他セルのユーザデータに起因するＣＳＩ−ＲＳの干渉成分を除去して、移動端末装置におけるＣＳＩの測定精度を改善することができる。
【００２０】
なお、ミューティングされるリソースは、全くデータが割り当てられないリソースとして規定されても良く、他セルのＣＳＩ−ＲＳに干渉を与えない程度にデータが割り当てられるリソースとして規定されても良い。さらに、ミューティングされたリソースは、他セルのＣＳＩ−ＲＳに対して干渉を与えない程度の送信電力で送信されるリソースとして規定されても良い。
【００２１】
無線基地局装置が、移動端末装置に対してミューティングを通知する場合には、ＣＳＩ−ＲＳパターンを用いて通知する。この場合、ＣＳＩ−ＲＳパターンにナンバリングされるインデックス（ＣＳＩ  Configuration）とミューティングの有無とを１対１で対応付けしたビットマップ形式でミューティングを通知しても良い。また、ミューティングの通知とＣＳＩ−ＲＳの通知とで、ＣＳＩ−ＲＳポート数が異なるＣＳＩ−ＲＳパターンを使用しても良い。
【００２２】
図３では、ＣＳＩ−ＲＳポート数が４の場合のＣＳＩ−ＲＳパターンを用いて、ミューティングを通知する例を示している。ここでは、インデックス＃０、＃１（ＣＳＩ  Configuration＝０，１）で示されるＣＳＩ−ＲＳ用リソースにミューティングが設定されている。この場合、ＦＤＤ（Frequency  Division  Duplex）のノーマルパターンにＴＤＤ（Time  Division  Duplex）のアディショナルパターンを加えたインデックスに対応させて、１６ビットのビットマップ情報［１１００００００００００００００］が通知される。ビットマップ情報では、ミューティングされるリソースには“１”がセットされ、ミューティングされないリソースには“０”がセットされる。また、無線基地局装置は、ビットマップ情報の他に、送信周期（Duty  Cycle）、サブフレームオフセットを移動端末装置に対して通知する。
【００２３】
また、図３では、ＣＳＩ−ＲＳポート数が２の場合のＣＳＩ−ＲＳパターンを用いてＣＳＩ−ＲＳを通知している。ここでは、図１（ａ）のインデックス＃１（ＣＳＩ  Configuration＝１）で示されるＣＳＩ−ＲＳ用リソースにＣＳＩ−ＲＳが割り当てられる。したがって、ビットマップ情報で示されるミューティングリソースのうち、ＣＳＩ−ＲＳが割り当てられるリソースを除いて、ミューティングが設定される。無線基地局装置は、ミューティング情報に加えてＣＳＩ−ＲＳが割り当てられるリソースを移動端末装置に対して通知する。
【００２４】
また、ＬＴＥ  Rel−10においては、ＣＳＩ−ＲＳを送信するサブフレームと、ページングを多重しているサブフレーム、ＳＩＢ（System  Information  Block）Ｘを多重しているサブフレーム、ＭＩＢ（Master  Information  Block）を多重しているサブフレーム、同期信号（ＰＳＳ（Primary  Synchronization  Signal）、ＳＳＳ（Secondary  Synchronization  Signal））を多重しているサブフレームとが衝突する場合にはＣＳＩ−ＲＳを送信しない。無線基地局装置は、上記ページングなどが多重しているサブフレームの情報を移動端末装置に対して通知する。
【００２５】
ところで、ＬＴＥ  Rel−10においては、自セル（接続セル）のみを考慮してＣＳＩ−ＲＳ送信／ミューティングを適用すれば良いが、ＬＴＥ  Rel−11以降で検討されるセル間連携技術、例えばＣｏＭＰを想定すると、移動端末装置は、自セルのみならず、他セルのＣＳＩ−ＲＳ送信／ミューティングの情報（CSI−RS/Muting  configuration  information）なども必要となる。そこで、本発明者らは、ＣｏＭＰのようなセル間連携技術を考慮した場合においても、他セル干渉対策を実現することができるように、他セルのサブフレーム情報、例えばＣＳＩ−ＲＳ送信／ミューティングの情報などのシグナリングを提案する。なお、他セルのサブフレーム情報としては、ＣＳＩ−ＲＳ送信／ミューティングの情報に限定されず、セル間連携技術を考慮した場合における他セルのサブフレームに関する他の情報（例えば、ページング、ＳＩＢＸ、ＭＩＢ、及び／又は同期信号を多重しているサブフレームの情報）を含むものとする。
【００２６】
例えば、ＣｏＭＰが適用される移動端末装置においては、図４に示すように、自セル（例えば、マクロセル＃１）のみならず、他セル（例えば、マクロセル＃２）のＣＳＩ−ＲＳ送信／ミューティングの情報も必要となる。これにより、ＣｏＭＰのようなセル間連携技術を考慮した場合においても、他セル干渉対策を実現することができる。
【００２７】
すなわち、本発明の骨子は、無線基地局装置において、自セルのサブフレーム情報及び他セルのサブフレーム情報を含む通知情報を生成し、自セルを接続セルとする移動端末装置に通知情報を送信し、移動端末装置において、接続セルのサブフレーム情報及び他セルのサブフレーム情報を含む通知情報を受信し、接続セルのサブフレーム情報を用いて接続セルのチャネル品質を測定すると共に、他セルのサブフレーム情報を用いて他セルのチャネル品質を測定することにより、ＣｏＭＰのようなセル間連携技術を考慮した場合においても、他セル干渉対策を実現することである。
【００２８】
本発明において、サブフレーム情報とは、セル間連携技術を考慮した場合における他セルのサブフレームに関する情報をいい、ＣＳＩ−ＲＳ送信（未送信）／ミューティングのための情報（CSI−RS/Muting  configuration  information）をいい、必要に応じてページング、ＳＩＢＸ、ＭＩＢ（報知情報）、及び／又は同期信号を多重しているサブフレームの情報を含む。具体的に、ＣＳＩ−ＲＳ送信（未送信）の情報とは、ＣＳＩ−ＲＳを送信するサブフレームを示す情報あるいはＣＳＩ−ＲＳ送信しないサブフレームを示す情報をいい、ＣＳＩ−ＲＳインデックス、ＣＳＩ−ＲＳパラメータを含む。ミューティングの情報とは、ミューティングするサブフレームを示す情報をいい、ミューティングリソース特定情報、ミューティング間隔情報、ミューティングインデックスを含む。
【００２９】
なお、他セルのサブフレーム情報については、ＳＩＢＸ、ＭＩＢ、及び／又は同期信号を多重しているサブフレームの情報とし、必ずしも、ＣＳＩ−ＲＳインデックス、ＣＳＩ−ＲＳパラメータ、ミューティングリソース特定情報、ミューティング間隔情報、ミューティングインデックスを含まなくても良い。
【００３０】
したがって、自セルのサブフレーム情報としては、自セルのＣＳＩ−ＲＳ／ミューティングのパラメータと、自セルのページング、報知情報とを含み、他セルのサブフレーム情報としては、他セルのページング、報知情報を含む。なお、他セルのサブフレーム情報に、他セルのＣＳＩ−ＲＳ／ミューティングのパラメータを含めても良い。
【００３１】
ここで、自セルのサブフレーム情報及び／又は他セルのサブフレーム情報（通知情報）を無線基地局装置から移動端末装置に対して送信する方法について説明する。通知情報を送信する方法としては、（１）個別信号で送信する方法と、（２）報知信号で送信する方法とがある。これらの送信方法での送信態様としては、（ａ）自セルのサブフレーム情報及び他セルのサブフレーム情報を個別信号で送信する態様、（ｂ）自セルのサブフレーム情報及び他セルのサブフレーム情報を報知信号で送信する態様、（ｃ）自セルのサブフレーム情報を個別信号で送信し、他セルのサブフレーム情報を報知信号で送信する態様、（ｄ）他セルのサブフレーム情報を個別信号で送信し、自セルのサブフレーム情報を報知信号で送信する態様が挙げられる。
【００３２】
（１）通知情報を個別信号で送信する場合、図５に示す処理手順における、RRC  CONNECTION  RECONFIGURATION信号を用いて送信する。この処理手順においては、まず、移動端末装置ＵＥが無線基地局装置ｅＮＢに対して、RACH  preambleを送信する。無線基地局装置ｅＮＢは、RACH  preambleを受信したときに、移動端末装置ＵＥに対して、RACH  responseを送信する。次いで、移動端末装置ＵＥは、無線基地局装置ｅＮＢに対して、RRC  CONNECTION  REQUEST(Message  3)を送信する。無線基地局装置ｅＮＢは、RRC  CONNECTION  REQUEST(Message  3)を受信したときに、移動端末装置ＵＥに対して、RRC  CONNECTION  SETUP(Message  4)を送信する。
【００３３】
移動端末装置ＵＥは、RRC  CONNECTION  SETUP(Message  4)を受信すると、無線基地局装置ｅＮＢに対して、RRC  CONNECTION  SETUP  COMPLETEを送信する。無線基地局装置ｅＮＢは、RRC  CONNECTION  SETUP  COMPLETEを受信すると、移動管理ノードＭＭＥに対して、INITIAL  UE  MESSAGEを送信する。これにより、移動端末装置ＵＥと移動管理ノードＭＭＥとの間で、AuthenticationやNAS  security  procedureが行われる。その後、移動管理ノードＭＭＥは、無線基地局装置ｅＮＢに対して、INITIAL  CONTEXT  SETUP  REQUESTを送信する。
【００３４】
なお、INITIAL  CONTEXT  SETUP  REQUESTにUE  CAPABILITYが含まれていない場合、無線基地局装置ｅＮＢは、移動端末装置ＵＥに対して、UE  CAPABILITY  ENQUIRYを送信する。移動端末装置ＵＥは、UE  CAPABILITY  ENQUIRYを受信したとき、無線基地局装置ｅＮＢに対して、UE  CAPABILITY  INFORMATIONを送信する。そして、無線基地局装置ｅＮＢは、移動管理ノードＭＭＥに対して、UE  CAPABILITY  INFO  INDICATIONを送信する。
【００３５】
次いで、無線基地局装置ｅＮＢは、移動端末装置ＵＥに対して、SECURITY  MODE  COMMANDを送信する。その後、無線基地局装置ｅＮＢは、移動端末装置ＵＥに対して、通知情報（CSI−RS/Muting  configuration  information）を含むRRC  CONNECTION  RECONFIGURATIONを送信する。その後、図６に示すように、移動端末装置ＵＥは、RRC  CONNECTION  RECONFIGURATIONを受信したときに、無線基地局装置ｅＮＢに対して、RRC  CONNECTION  RECONFIGURATION  COMPを送信する。無線基地局装置ｅＮＢは、RRC  CONNECTION  RECONFIGURATION  COMPを受信した後、すなわち、Ambiguity  periodが経過した後、ＣＳＩ−ＲＳを送信するサブフレームにおける移動端末装置ＵＥ宛ての下りデータの送信及び隣接セルの下りデータの送信停止（ＣＳＩ−ＲＳ／ミューティング）を開始する。
【００３６】
（２）通知情報は報知信号で送信しても良い。ここで、通知情報を報知信号で送信するとは、ＳＩＢＸを多重しているサブフレームで通知情報を送信すること、ＭＩＢを多重しているサブフレームで通知情報を送信することをいう。
【００３７】
なお、移動端末装置ＵＥは、上記（１）、（２）のようにして送信された通知情報（CSI−RS/Muting  configuration  information）を受信すると、この通知情報に基づいて、チャネル品質測定を行う。具体的には、接続セルのサブフレーム情報を用いて接続セルのチャネル品質を測定すると共に、他セルのサブフレーム情報を用いて他セルのチャネル品質を測定する。
【００３８】
無線基地局装置ｅＮＢは、他セルのサブフレーム情報を他セルの無線基地局装置ｅＮＢから取得する。例えば、無線基地局装置ｅＮＢは、他セルのサブフレーム情報を他セルの無線基地局装置ｅＮＢからＸ２インターフェースなどにより取得することができる。
【００３９】
このようにして、移動端末装置ＵＥは、自セルのサブフレーム情報に加えて他セルのサブフレーム情報を取得できるので、ＣｏＭＰのようなセル間連携技術を考慮した場合においても、他セル干渉対策を実現することが可能となる。
【００４０】
ここで、本発明の実施例に係る無線通信システムについて詳細に説明する。図７は、本実施例に係る無線通信システムのシステム構成の説明図である。なお、図７に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００４１】
図７に示すように、無線通信システム１は、無線基地局装置２０Ａ，２０Ｂと、この無線基地局装置２０Ａ，２０Ｂと通信する複数の第１、第２の移動端末装置１０Ａ，１０Ｂとを含んで構成されている。無線基地局装置２０Ａ，２０Ｂは、上位局装置３０と接続され、この上位局装置３０は、コアネットワーク４０と接続される。また、無線基地局装置２０Ａ，２０Ｂは、有線接続又は無線接続により相互に接続されている。第１、第２の移動端末装置１０Ａ，１０Ｂは、セルＣ１，Ｃ２において無線基地局装置２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【００４２】
第１、第２の移動端末装置１０Ａ，１０Ｂは、ＬＴＥ端末及びＬＴＥ−Ａ端末を含むが、以下においては、特段の断りがない限り第１、第２の移動端末装置として説明を進める。また、説明の便宜上、無線基地局装置２０Ａ，２０Ｂと無線通信するのは第１、第２の移動端末装置１０Ａ，１０Ｂであるものとして説明するが、より一般的には移動端末装置も固定端末装置も含むユーザ装置（ＵＥ）でよい。
【００４３】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００４４】
ここで、通信チャネルについて説明する。
下りリンクの通信チャネルは、第１、第２の移動端末装置１０Ａ，１０Ｂで共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid−ARQ  Indicator  Channel）により、ＰＵＳＣＨに対するＨＡＲＱのＡＣＫ/ＮＡＣＫが伝送される。
【００４５】
上りリンクの通信チャネルは、各移動端末装置で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（ＣＱＩ：Channel  Quality  Indicator）、ＡＣＫ／ＮＡＣＫなどが伝送される。
【００４６】
図８を参照しながら、本実施の形態に係る無線基地局装置の全体構成について説明する。なお、無線基地局装置２０Ａ，２０Ｂは、同様な構成であるため、無線基地局装置２０として説明する。また、第１、第２の移動端末装置１０Ａ，１０Ｂも、同様な構成であるため、移動端末装置１０として説明する。無線基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局装置２０から移動端末装置に送信される送信データは、上位局装置３０から伝送路インターフェース２０６を介してベースバンド信号処理部２０４に入力される。
【００４７】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００４８】
また、ベースバンド信号処理部２０４は、報知チャネルにより、同一セルに接続する移動端末装置１０に対して、各移動端末装置１０が無線基地局装置２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００４９】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。
【００５０】
一方、上りリンクにより移動端末装置１０から無線基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００５１】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００５２】
呼処理部２０５は、通信チャネルの設定や解放等の呼処理や、無線基地局装置２０の状態管理や、無線リソースの管理を行う。
【００５３】
次に、図９を参照しながら、本実施の形態に係る移動端末装置の全体構成について説明する。ＬＴＥ端末もＬＴＥ−Ａ端末もハードウエアの主要部構成は同じであるので、区別せずに説明する。移動端末装置１０は、送受信アンテナ１０１と、アンプ部１０２と、送受信部（受信部）１０３と、ベースバンド信号処理部１０４と、アプリケーション部１０５とを備えている。
【００５４】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００５５】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００５６】
図１０を参照して、無線基地局装置の機能ブロックについて説明する。なお、図１０の各機能ブロックは、主にベースバンド処理部の処理内容である。また、図１０の機能ブロック図は、簡略化したものであり、ベースバンド処理部において通常備える構成を備えるものとする。また、以下の説明では、ＣＳＩ−ＲＳが配置されたリソースを特定するためのインデックスをＣＳＩ−ＲＳインデックスとして説明する。
【００５７】
図１０に示すように、無線基地局装置２０は、ＣＲＳ配置部２０７と、ＣＳＩ−ＲＳ配置部２０８と、ＣＳＩ−ＲＳ／ミューティング情報生成部２１０と、報知信号／個別信号生成部２０９とを有している。ＣＳＩ−ＲＳ／ミューティング情報生成部２１０は、ＣＳＩ−ＲＳインデックス生成部２１０１と、ミューティングリソース設定部２１０２と、ミューティングリソース特定情報生成部２１０３と、ＣＳＩ−ＲＳパラメータ生成部２１０４と、ミューティング間隔情報生成部２１０５と、ミューティングインデックス生成部２１０６とを有している。
【００５８】
ＣＲＳ配置部２０７は、リソーブロックにおけるＣＲＳ送信用リソースにＣＲＳを配置する。ＣＳＩ−ＲＳ配置部２０８は、リソーブロックにおけるＣＳＩ−ＲＳ送信用リソースに、ＣＳＩ−ＲＳポート数に応じてＣＳＩ−ＲＳを配置する。
【００５９】
ＣＳＩ−ＲＳ／ミューティング情報生成部２１０のＣＳＩ−ＲＳインデックス生成部２１０１は、ＣＳＩ−ＲＳ配置部２０８によりＣＳＩ−ＲＳが配置されたリソースに対応したＣＳＩ−ＲＳインデックスを生成する。ＣＳＩ−ＲＳインデックス生成部２１０１で生成されたＣＳＩ−ＲＳインデックスは、ＣＳＩ−ＲＳパラメータの一つとして報知信号／個別信号生成部２０９に出力される。
【００６０】
ミューティングリソース設定部２１０２は、隣接セルにおいてＣＳＩ−ＲＳが配置されるリソースに対応したリソースをミューティングリソースに設定する。なお、本実施の形態では、ミューティングリソースは、全くデータが割り当てられないリソースとしても良く、隣接セルのＣＳＩ−ＲＳに干渉を与えない程度にデータが割り当てるリソースとして規定されても良い。さらに、ミューティングリソースは、隣接セルのＣＳＩ−ＲＳに対して干渉を与えない程度の送信電力で送信されるリソースとして規定されても良い。
【００６１】
ミューティングリソース特定情報生成部２１０３は、ミューティングの通知方法で用いられるミューティングリソース特定情報を生成する。ミューティングリソース特定情報としては、例えば、ビットマップ情報、ミューティングリソースの配置パターンなどが挙げられる。
【００６２】
ミューティングリソース特定情報が移動端末装置１０に通知されると、移動端末装置１０側でミューティングリソース特定情報に示されるリソースがミューティングリソースとして認識される。ミューティングリソース特定情報は、ミューティングパラメータの一つとして報知信号／個別信号生成部２０９に出力される。
【００６３】
ＣＳＩ−ＲＳパラメータ生成部２１０４は、ＣＳＩ−ＲＳインデックス以外のＣＳＩ−ＲＳの系列や送信電力などのパラメータを生成する。ＣＳＩ−ＲＳパラメータ生成部２１０４で生成されたＣＳＩ−ＲＳパラメータは、報知信号／個別信号生成部２０９に出力される。
【００６４】
ミューティング間隔情報生成部２１０５は、複数セル間でＣＳＩ−ＲＳの送信タイミングが一致するサブフレームの送信間隔（ミューティング間隔）を示すミューティング間隔情報を生成する。ミューティング間隔情報生成部２１０５は、自セルにおけるＣＳＩ−ＲＳの送信周期と隣接セルから取得したＣＳＩ−ＲＳの送信周期とに基づいてミューティング間隔情報を生成する。ミューティング間隔情報生成部２１０５で生成されたミューティング間隔情報は、報知信号／個別信号生成部２０９に出力される。
【００６５】
ミューティングインデックス生成部２１０６は、ミューティングリソースのインデックスを生成する。ミューティングインデックスは、ミューティングリソース特定情報（ビットマップ情報、ミューティングリソースの配置パターン）の代わりに移動端末装置１０に通知されるものである。ミューティングインデックス生成部２１０６で生成されたミューティングインデックスは、報知信号／個別信号生成部２０９に出力される。
【００６６】
報知信号／個別信号生成部２０９は、自セルのサブフレーム情報（自セルのＣＳＩ−ＲＳインデックス、ＣＳＩ−ＲＳパラメータ、ミューティングリソース特定情報、ミューティング間隔情報、ミューティングインデックス、及び自セルのページング情報（ページングが多重されたサブフレームの情報）、自セルの報知情報（ＭＩＢやＳＩＢなどが多重されたサブフレームの情報））、及び他セルのサブフレーム情報（他セルのページング情報（ページングが多重されたサブフレームの情報）、他セルの報知情報（ＭＩＢやＳＩＢなどが多重されたサブフレームの情報））を含む報知信号又は個別信号を生成する。
【００６７】
報知信号／個別信号生成部２０９においては、（ａ）自セルのサブフレーム情報及び他セルのサブフレーム情報を個別信号で送信する場合には、自セルのサブフレーム情報及び他セルのサブフレーム情報を含む個別信号を生成する。（ｂ）自セルのサブフレーム情報及び他セルのサブフレーム情報を報知信号で送信する場合には、自セルのサブフレーム情報及び他セルのサブフレーム情報を含む報知信号を生成する。（ｃ）自セルのサブフレーム情報を個別信号で送信し、他セルのサブフレーム情報を報知信号で送信する場合には、自セルのサブフレーム情報を含む個別信号を生成すると共に、他セルのサブフレーム情報を含む報知信号を生成する。（ｄ）他セルのサブフレーム情報を個別信号で送信し、自セルのサブフレーム情報を報知信号で送信する場合には、他セルのサブフレーム情報を含む個別信号を生成すると共に、自セルのサブフレーム情報を含む報知信号を生成する。
【００６８】
送受信部２０３は、ＣＲＳ、ＣＳＩ−ＲＳ並びに報知信号／個別信号を移動端末装置１０に送信する。
【００６９】
図１１は、移動端末装置による主にＣＱＩを測定するための機能ブロックの説明図である。なお、図１１の各機能ブロックは、主にベースバンド処理部の処理内容である。また、図１１に示す機能ブロックは、本発明を説明するために簡略化したものであり、ベースバンド処理部において通常備える構成は備えるものとする。
【００７０】
図１１に示すように、移動端末装置１０は、送受信部１０３と、ＣＳＩ−ＲＳ／ミューティング情報取得部１０６と、ユーザデータ復調部１０７と、自セルチャネル品質測定部１０８と、他セルチャネル品質測定部１０９とを有している。送受信部１０３は、無線基地局装置２０からＣＲＳ、ＣＳＩ−ＲＳ及び報知信号／個別信号を受信する。
【００７１】
ユーザデータ復調部１０７は、送受信部１０３を介して受信したユーザデータを復調する。ユーザデータ復調部１０７は、ミューティングリソース特定情報に示されるミューティングリソースを無視して、ユーザデータを復調する。このため、復調処理のスループット及び復調精度が向上される。なお、ユーザデータ復調部１０７を設ける代わりに、ＣＳＩ−ＲＳ／ミューティング情報取得部１０６でユーザデータの復調処理を行っても良い。
【００７２】
ＣＳＩ−ＲＳ／ミューティング情報取得部１０６は、個別信号及び／又は報知信号を復調して、自セルのサブフレーム情報（自セルのＣＳＩ−ＲＳインデックス、ＣＳＩ−ＲＳパラメータ、ミューティングリソース特定情報、ミューティング間隔情報、ミューティングインデックス、及び自セルのページング情報（ページングが多重されたサブフレームの情報）、自セルの報知情報（ＭＩＢやＳＩＢなどが多重されたサブフレームの情報））、及び他セルのサブフレーム情報（他セルのページング情報（ページングが多重されたサブフレームの情報）、他セルの報知情報（ＭＩＢやＳＩＢなどが多重されたサブフレームの情報））を取得する。
【００７３】
ＣＳＩ−ＲＳ／ミューティング情報取得部１０６は、自セルのＣＳＩ−ＲＳインデックス、ＣＳＩ−ＲＳパラメータ、自セルのページング情報、自セルの報知情報を自セルチャネル品質測定部１０８に出力する。また、ＣＳＩ−ＲＳ／ミューティング情報取得部１０６は、ミューティング間隔情報、ミューティングインデックス、他セルのページング情報、他セルの報知情報を他セルチャネル品質測定部１０９に出力する。なお、必要に応じて、ＣＳＩ−ＲＳ／ミューティング情報取得部１０６は、ミューティングリソース特定情報を他セルチャネル品質測定部１０９に出力する。
【００７４】
自セルチャネル品質測定部１０８は、自セルのＣＳＩ−ＲＳインデックス、ＣＳＩ−ＲＳパラメータ、自セルのページング情報、自セルの報知情報を用いて、自セル（接続セル）のチャネル品質を測定し、測定したチャネル品質から自セルＣＳＩを求める。この場合、自セルのページング情報、自セルの報知情報が多重されているサブフレームでは、ＣＳＩ−ＲＳが多重されていないので、チャネル品質を測定せず、その他のサブフレームのＣＳＩ−ＲＳを用いてチャネル品質を測定する。自セルチャネル品質測定部１０８は、この自セルＣＳＩ情報を送受信部１０３に出力する。
【００７５】
他セルチャネル品質測定部１０９は、ミューティング間隔情報、ミューティングインデックス、他セルのページング情報、他セルの報知情報を用いて、他セルのチャネル品質を測定し、測定したチャネル品質から他セルＣＳＩを求める。この場合、他セルのページング情報、他セルの報知情報が多重されているサブフレームでは、ＣＳＩ−ＲＳが多重されていないので、チャネル品質を測定せず、その他のサブフレームのＣＳＩ−ＲＳを用いてチャネル品質を測定する。他セルチャネル品質測定部１０９は、この他セルＣＳＩ情報を送受信部１０３に出力する。なお、自セルチャネル品質測定部１０８及び他セルチャネル品質測定部１０９は、同一の処理部で構成されていても良い。
【００７６】
送受信部１０３は、自セルＣＳＩ情報を接続セルの無線基地局装置に送信すると共に、他セルＣＳＩ情報を他セルの無線基地局装置に送信する。
【００７７】
このような無線通信システムにおいては、まず、無線基地局装置ｅＮＢにおいて、自セルのサブフレーム情報及び他セルのサブフレーム情報を含む通知情報（報知信号／個別信号）を生成する。次いで、この通知情報を報知信号及び／又は個別信号で移動端末装置ＵＥに送信する。移動端末装置ＵＥにおいては、接続セルのサブフレーム情報及び他セルのサブフレーム情報を含む通知情報を受信する。次いで、接続セルのサブフレーム情報を用いて接続セルのチャネル品質を測定すると共に、他セルのサブフレーム情報を用いて他セルのチャネル品質を測定する。このため、ＣｏＭＰのようなセル間連携技術を考慮した場合においても、他セル干渉対策を実現できる。
【００７８】
上記実施の形態においては、複数セル間でミューティングされることで、チャネル品質の推定精度が改善される構成としているが、この構成に限定されるものではない。複数エリア間でミューティングされていればよく、例えば、複数セクタ間でミューティングされる構成としても良い。
【００７９】
本発明は上記実施の形態に限定されず、様々変更して実施することが可能である。例えば、本発明の範囲を逸脱しない限りにおいて、上記説明におけるミューティングリソースの設定位置、処理部の数、処理手順、ミューティングリソースの数については適宜変更して実施することが可能である。その他、本発明の範囲を逸脱しないで適宜変更して実施することが可能である。
【符号の説明】
【００８０】
１  無線通信システム
１０  移動端末装置
２０  無線基地局装置
１０１  送受信アンテナ
１０２  アンプ部
１０３  送受信部（受信部）
１０４  ベースバンド信号処理部
１０５  アプリケーション部
１０６  ＣＳＩ−ＲＳ／ミューティング情報取得部
１０７  ユーザデータ復調部
１０８  自セルチャネル品質測定部
１０９  他セルチャネル品質測定部
２０１  送受信アンテナ
２０２  アンプ部
２０３  送受信部（通知部）
２０４  ベースバンド信号処理部
２０５  呼処理部
２０６  伝送路インターフェース
２０７  ＣＲＳ配置部
２０８  ＣＳＩ−ＲＳ配置部
２０９  報知信号／個別信号生成部
２１０  ＣＳＩ−ＲＳ／ミューティング情報生成部
２１０１  ＣＳＩ−ＲＳインデックス生成部
２１０２  ミューティングリソース設定部
２１０３  ミューティングリソース特定情報生成部
２１０４  ＣＳＩ−ＲＳパラメータ生成部
２１０５  ミューティング間隔情報生成部
２１０６  ミューティングインデックス生成部
【図１】
2014187705.tif 000003
【図２】
2014187705.tif 000004
【図３】
2014187705.tif 000005
【図４】
2014187705.tif 000006
【図５】
2014187705.tif 000007
【図６】
2014187705.tif 000008
【図７】
2014187705.tif 000009
【図８】
2014187705.tif 000010
【図９】
2014187705.tif 000011
【図１０】
2014187705.tif 000012
【図１１】
2014187705.tif 000013